(57)【要約】【課題】本発明は、電力の供給を遮断しても画像や文字の表示が維持される電子ペーパーに関し、観察者を煩わせることなく適切な方向に表示可能な電子ペーパーを提供することを目的とする。【解決手段】静止画を表示する表示面Ｄを備えた表示部２と、表示面Ｄに対する観察者の観察方向を検出する感圧センサ８２及び表示方向算出回路４２と、観察方向に合せて表示面Ｄの静止画を書換えるデータ変換回路４１とを備えた制御部４とを有する。制御部４は、観察方向に合せて静止画の書換え開始位置を決定し、表示面Ｄでの書換え方向を変更する。【選択図】図１
2008209711.tif 000002
【特許請求の範囲】
【請求項１】
静止画を表示する表示面を備えた表示部と、
前記表示面に対する観察者の観察方向を検出する検出部を備え、前記観察方向に合せて前記表示面の静止画を書換える制御部と
を有することを特徴とする電子ペーパー。
【請求項２】
請求項１記載の電子ペーパーであって、
前記制御部は、
前記観察方向に合せて前記静止画の書換え開始位置を決定し、前記表示面での書換え方向を変更すること
を特徴とする電子ペーパー。
【請求項３】
請求項２記載の電子ペーパーであって、
前記検出部は、
前記観察者の観察方向を前記表示面の重力方向に対する向きとして検出するための重力センサを前記表示面近傍に備えていること
を特徴とする電子ペーパー。
【請求項４】
請求項３記載の電子ペーパーであって、
前記制御部は、
前記重力方向に対する向きを、前記重力方向に対して最も角度の小さい向きとして前記表示面での書換え方向を変更すること
を特徴とする電子ペーパー。
【請求項５】
請求項２乃至４のいずれか１項に記載の電子ペーパーであって、
前記検出部は、
前記観察者の観察方向を前記表示面周囲を触れた前記観察者の手の位置に基づいて検出するための検出センサを備えていること
を特徴とする電子ペーパー。
【発明の詳細な説明】
【技術分野】
【０００１】
本発明は、電力の供給を遮断しても画像や文字の表示が維持される電子ペーパーに関する。
【背景技術】
【０００２】
近年、各企業及び各大学等において、電子ペーパーの開発が盛んに進められている。電子ペーパーの利用が期待されている適用分野として、電子書籍を筆頭に、モバイル端末機器のサブディスプレイやＩＣカードの表示部等の携帯機器分野がある。さらには、用紙サイズでＡ４以上の大型表示にも電子ペーパーの利用が期待されている。電子ペーパーは紙のように薄く軽量で且つ折り曲げ可能で収納性、可搬性に優れ、それ自体を超薄型の表示装置として用いることもでき、また薄型の携帯機器に組込んでその表示部として利用することもできる利便性を備えている。
【０００３】
このような種々の利便性を備えた電子ペーパーであるが、全く問題がないわけではない。例えば、観察者が電子ペーパーを手にとって表示画面を観察しようとする際に、電子ペーパーを逆さに持ってしまった場合には、逆さに表示された画像や文字を通常の表示状態にするために電子ペーパーを１８０°回転させて持ち替える煩わしさが生じる。
【０００４】
小型の携帯機器の場合には、携帯機器が小型であることと、携帯機器の筐体の輪郭形状を観察者が手の感覚として覚えているため、即座に持ち替えることが可能である。しかしながら、紙状の薄型でＡ４サイズ以上の例えば新聞紙状の大型サイズの電子ペーパーになると、逆向きや横向きに持ってしまったり、また、逆向きや横向きに机上に置いたりした場合には、正常な観察方向に持ち替えたり置き換えたりするにはかなりの煩わしさがある。
【０００５】
表示の向きを補正する方法として特許文献１及び２がある。特許文献１には、携帯電話等に搭載されている液晶ディスプレイ等において、重力の方向に応じて、画面表示の向きが常に重力方向に対して一定となるよう自動的に補正することが開示されている。
【０００６】
特許文献２には、電子ブック等の用途に対し、振動によって瞬間的に電子ブックがΔｙだけ下方に移動した場合、表示内容を自動的にΔｙだけ上方に移動させる。それにより、振動によっても使用者は安定して画面の内容を認識できることが開示されている。
【特許文献１】特開平１１−１９６３９７号公報
【特許文献２】特開２００６−１４５６１６号公報
【発明の開示】
【発明が解決しようとする課題】
【０００７】
しかしながら、特許文献１及び２に開示された技術では、紙状の薄型でＡ４サイズ以上の例えば新聞紙状の大型サイズの電子ペーパーを逆向きや横向きに持ったり置いたりした場合の観察者の不便、不具合については解決していない。
【０００８】
本発明の目的は、観察者を煩わせることなく適切な方向に表示可能な電子ペーパーを提供することにある。
【課題を解決するための手段】
【０００９】
上記目的は、静止画を表示する表示面を備えた表示部と、前記表示面に対する観察者の観察方向を検出する検出部を備え、前記観察方向に合せて前記表示面の静止画を書換える制御部とを有することを特徴とする電子ペーパーによって達成される。
【００１０】
上記本発明の電子ペーパーであって、前記制御部は、前記観察方向に合せて前記静止画の書換え開始位置を決定し、前記表示面での書換え方向を変更することを特徴とする。
【発明の効果】
【００１１】
本発明によれば、持ち替えたり置き換えたりしなくても観察者に対し正常な表示ができる電子ペーパーを実現できる。
また、使用者の電子ペーパーの持ち方及び視線に合わせ、自動的に最適な表示の向きが得られるので電子ペーパーの利便性が向上する。
【発明を実施するための最良の形態】
【００１２】
本発明の一実施の形態による電子ペーパーについて図１乃至図１３を用いて説明する。電子ペーパーに用いられる表示素子の一つに、コレステリック相が形成される液晶組成物（コレステリック液晶又はカイラルネマティク液晶と称される。以下、コレステリック液晶と言う）を用いた液晶表示素子がある。コレステリック液晶は、半永久的な表示保持特性（電力供給がない状態での画面表示；メモリ性）、鮮やかなカラー表示特性、高コントラスト特性、及び高解像度特性等の優れた特徴を有している。本実施の形態による電子ペーパーは、コレステリック液晶を用いた表示パネルを複数積層した積層型液晶表示素子を備えている。以下、本実施の形態による電子ペーパー１の構成及び機能について図１に示す機能ブロック図を用いて説明する。
【００１３】
電子ペーパー１は、画像や文字を表示する表示部２と、外部システムや内蔵メモリ８０から入力された表示コンテンツデータを種々の所望の表示データに変換すると共に、当該表示データを表示部２に表示させるための駆動回路を制御する制御部４と、表示部２、制御部４、及びその他回路に電力を供給する電源部６とを有している。
【００１４】
本実施の形態の表示部２は、それぞれ上下基板間にコレステリック液晶が封止された青（Ｂ）用表示パネル２０ｂ、緑（Ｇ）用表示パネル２０ｇ、及び赤（Ｒ）用表示パネル２０ｒが表示面Ｄ側からこの順に積層された積層型液晶表示素子を有している。表示面Ｄは図１を普通に見て縦長の長方形形状をしている。
【００１５】
各表示パネル２０ｂ、２０ｇ、２０ｒは、並列して図左右方向に延びる複数の行電極２１ｂ、２１ｇ、２１ｒと、各行電極２１ｂ、２１ｇ、２１ｒにほぼ直交して並列して図上下方向に延びる複数の列電極２２ｂ、２２ｇ、２２ｒとを有している。各表示パネル２０ｂ、２０ｇ、２０ｒは、いわゆるパッシブマトリクス型の構成を備え、各表示パネル２０ｂ、２０ｇ、２０ｒ内で液晶を介して対向する行電極２１と列電極２２の交差部でサブ画素（ピクセル）ｐｂ、ｐｇ、ｐｒが構成されている。図１では、表示面Ｄ内で破線で囲む領域内にサブ画素ｐｂを拡大して例示している。
【００１６】
積層されたＢ、Ｇ、Ｒ用表示パネル２０ｂ、２０ｇ、２０ｒのそれぞれには、それぞれの複数の行電極２１ｂ、２１ｇ、２１ｒに行電極用データ信号を供給するＢ、Ｇ、Ｒ用行電極駆動回路２３ｂ、２３ｇ、２３ｒと、それぞれの複数の列電極２２ｂ、２２ｇ、２２ｒに列電極用データ信号を供給するＢ、Ｇ、Ｒ用列電極駆動回路２４ｂ、２４ｇ、２４ｒとが設けられている。
【００１７】
Ｂ、Ｇ、Ｒ用行電極駆動回路２３ｂ、２３ｇ、２３ｒとＢ、Ｇ、Ｒ用列電極駆動回路２４ｂ、２４ｇ、２４ｒとは、同一仕様の駆動回路を用いることができる。例えば、ＱＶＧＡ（３２０×２４０（ピクセル））の表示を実現するには、少なくとも３２０本の電極端子にデータ出力可能なドライバＬＳＩを行及び列電極駆動回路２３、２４に用いればよい。
【００１８】
Ｂ用行電極駆動回路２３ｂの３２０本の信号出力端子（アドレス；ＢＡ００１〜ＢＡ３２０）は、Ｂ用の３２０本の対応する同一アドレスの行電極２１ｂに接続されている。Ｂ用列電極駆動回路２４ｂの２４０本の信号出力端子（アドレス；ＢＢ００１〜ＢＢ２４０）は、Ｂ用の２４０本の対応する同一アドレスの列電極２２ｂに接続されている。
【００１９】
同様に、Ｇ用行電極駆動回路２３ｇの３２０本の信号出力端子（アドレス；ＧＡ００１〜ＧＡ３２０）は、Ｇ用の３２０本の対応する同一アドレスの行電極２１ｇに接続され、Ｇ用列電極駆動回路２４ｇの２４０本の信号出力端子（アドレス；ＧＢ００１〜ＧＢ２４０）は、Ｇ用の２４０本の対応する同一アドレスの列電極２２ｇに接続されている。
【００２０】
また同様に、Ｒ用行電極駆動回路２３ｒの３２０本の信号出力端子（アドレス；ＲＡ００１〜ＲＡ３２０）は、Ｒ用の３２０本の対応する同一アドレスの行電極２１ｒに接続され、Ｒ用列電極駆動回路２４ｒの２４０本の信号出力端子（アドレス；ＲＢ００１〜ＲＢ２４０）は、Ｒ用の２４０本の対応する同一アドレスの列電極２２ｒに接続されている。
【００２１】
Ｂ、Ｇ、Ｒ用行電極駆動回路２３ｂ、２３ｇ、２３ｒ及びＢ、Ｇ、Ｒ用列電極駆動回路２４ｂ、２４ｇ、２４ｒのそれぞれには、種々の制御用入力端子が設けられており、制御部４の所定の制御用出力端子と接続されている。
【００２２】
例えば、Ｂ、Ｇ、Ｒ用行電極駆動回路２３ｂ、２３ｇ、２３ｒ及びＢ、Ｇ、Ｒ用列電極駆動回路２４ｂ、２４ｇ、２４ｒのそれぞれには、制御部４から、スキャン／データモード信号Ｓ／Ｄ＿ｍｏｄ、データ取込みクロック信号Ｄ＿ｃｌｋ、パルス極性制御信号ｐ＿ｃｔｌ、フレーム開始信号ｆ＿ｓｔ、データラッチ・スキャンシフト信号Ｄ＿ｌｔ／Ｓ＿ｓｆｔ、ドライバ出力オフ信号Ｄｖ＿ｏｆｆ、表示データ信号Ｄ＿ｓｉｇ、及び走査方向切替信号Ｓｃａｎ＿ｄが入力するようになっている。
【００２３】
スキャン／データモード信号Ｓ／Ｄ＿ｍｏｄは、駆動回路に接続された複数の電極を走査電極として用いるか、データ電極として用いるかを切替えるために用いる。例えば、行電極駆動回路２３にスキャンモード信号が入力されると、列電極駆動回路２４にはデータモード信号が入力されるようになっている。この場合には、行電極駆動回路２３は、走査電極駆動回路として機能し、接続されている行電極２１は走査電極として機能する。同時に、列電極駆動回路２４は、データ電極駆動回路として機能し、接続されている列電極２２はデータ電極として機能する。一方、列電極駆動回路２４にスキャンモード信号が入力され、行電極駆動回路２３にデータモード信号が入力されると、列電極駆動回路２４は、走査電極駆動回路として機能し、接続されている列電極２２は走査電極として機能する。同時に、行電極駆動回路２３は、データ電極駆動回路として機能し、接続されている行電極２１はデータ電極として機能する。
【００２４】
表示データ信号Ｄ＿ｓｉｇは、選択された走査電極上の複数の画素ｐの表示データであって、データ電極の先頭アドレスあるいは最終アドレスからシーケンシャル（連続的）に出力される。
【００２５】
データ取込みクロック信号Ｄ＿ｃｌｋは、データ電極駆動回路の不図示のシフトレジスタに入力される複数の表示データを順次シフトさせて取り込むための取り込みタイミングを決めるクロック信号である。
【００２６】
パルス極性制御信号ｐ＿ｃｔｌは、表示パネル内の液晶の品質劣化を抑制するために、画素選択期間内及び非選択期間内において、液晶への印加電圧の極性を正逆切替えるために用いる制御信号である。
【００２７】
フレーム開始信号ｆ＿ｓｔは、表示画面上に画像データや文字（テキスト）データを表示させる１フレーム分の表示データの出力開始を示す同期信号である。
【００２８】
データラッチ・スキャンシフト信号Ｄ＿ｌｔ／Ｓ＿ｓｆｔは、データ電極駆動回路の不図示のシフトレジスタに格納された１走査電極分の複数の表示データをラッチすると共に、線順次走査で選択される走査電極を次段にシフトする制御信号である。
【００２９】
ドライバ出力オフ信号Ｄｖ＿ｏｆｆは、行電極駆動回路及び又は列電極駆動回路から行電極及び又は列電極に信号を出力させないようにする制御信号である。
【００３０】
走査方向切替信号Ｓｃａｎ＿ｄは、行電極あるいは列電極を線順次走査する際に、アドレスの昇順又は降順のいずれの方向に走査するかを決める信号である。
【００３１】
制御部４は、データ変換回路４１と、データ変換回路４１から引き出され、Ｂ、Ｇ、Ｒ用行電極駆動回路２３ｂ、２３ｇ、２３ｒ及びＢ、Ｇ、Ｒ用列電極駆動回路２４ｂ、２４ｇ、２４ｒに接続される複数の出力端子とを有している。
【００３２】
また、制御部４は、表示部２で表示させる画像や文字の表示方向データを生成してデータ変換回路４１に出力する表示方向算出回路４２と、表示データのレイアウト構成を決めてデータ変換回路４１に出力するレイアウト構成回路４５とを有している。
【００３３】
また、制御部４は、表示部２の表示面Ｄ近傍に設けられ、観察者の観察方向を表示面Ｄの重力方向に対する向きとして検出するための重力センサ８１と、重力センサ８１からの出力信号により重力方向を検出して表示方向算出回路４２に出力する重力方向検出回路４３とを有している。
さらに、制御部４は、表示部２の表示面Ｄ周囲に設けられ、観察者の観察方向を表示面Ｄ周囲を触れた観察者の手の位置に基づいて検出するための感圧ボタン８２と、感圧ボタン８２からの出力信号により使用者の手等による押圧位置を検出して表示方向算出回路４２に出力する押圧位置検出回路４４とを有している。重力センサ８１、重力方向検出回路４３、感圧ボタン８２、及び押圧位置検出回路４４で検出部が構成される。
【００３４】
重力方向検出回路４３と押圧位置検出回路４４とは、いずれか一方だけ備えるようにしてもよいし、双方を備えて切替えていずれか一方を用いるようにしてもよい。あるいは、双方を同時に用いるようにしてもよい。
【００３５】
表示方向算出回路４２は、これらの検出結果より、表示部２の表示面Ｄに画像や文字を表示させる方向がいずれであるかを決定して、書換え用の表示方向データＤｄをデータ変換回路４１に出力する。書換え用の表示方向データＤｄは、表示面Ｄに表示させる１フレームの走査開始アドレスを示している。
【００３６】
図１に示す表示面Ｄの図示状態が正常な表示状態とすると、表示パネル２０ｂの表示方向データは、Ｄｄ＝ＢＡ００１である。同様に、表示パネル２０ｇの表示方向データは、Ｄｄ＝ＧＡ００１であり、表示パネル２０ｒの表示方向データは、Ｄｄ＝ＲＡ００１である。なお、「正常な表示状態」とは、観察者の通常の観察方向から見た状態のことである。
【００３７】
表示方向データＤｄは、データ先頭から順に第１セクション、第２セクション、第３セクションで構成されている。第１セクションは、データ先頭の１文字であり、「Ｂ」、「Ｇ」、「Ｒ」のいずれかで構成され、各表示パネル２０ｂ、２０ｇ、２０ｒのいずれかを識別できるようになっている。第２セクションはデータ先頭から２文字目の１文字であり、「Ａ」、「Ｂ」のいずれかで構成され、「Ａ」であれば行電極２１を表し、「Ｂ」であれば列電極２２を表している。第３セクションは３桁の数値「００１」、「２４０」、「３２０」のいずれかで構成され、走査開始アドレスの番号を表している。
【００３８】
仮に、図１の紙面を１８０°回転した状態が正常な表示状態とすると、表示パネル２０ｂの書換え用の表示方向データＤｄ＝ＢＡ３２０であり、表示パネル２０ｇの表示方向データＤｄ＝ＧＡ３２０であり、表示パネル２０ｒの表示方向データＤｄ＝ＲＡ３２０である。
【００３９】
また、図１の紙面を時計回りに９０°回転した状態が正常な表示状態とすると、表示パネル２０ｂの書換え用の表示方向データＤｄ＝ＢＢ００１であり、表示パネル２０ｇの表示方向データＤｄ＝ＧＢ００１であり、表示パネル２０ｒの表示方向データＤｄ＝ＲＢ００１である。
【００４０】
また、図１の紙面を反時計回りに９０°回転した状態が正常な表示状態とすると、表示パネル２０ｂの書換え用の表示方向データＤｄ＝ＢＢ２４０であり、表示パネル２０ｇの表示方向データＤｄ＝ＧＢ２４０であり、表示パネル２０ｒの表示方向データＤｄ＝ＲＢ２４０である。
【００４１】
データ変換回路４１は、書換え用の表示方向データＤｄの第２セクションの値が「Ａ」であれば、行電極駆動回路２３ｂ、２３ｇ、２３ｒを走査電極駆動回路として機能させ、「Ｂ」であれば、列電極駆動回路２４ｂ、２４ｇ、２４ｒを走査電極駆動回路として機能させる。
【００４２】
また、制御部４は、外部システムや内蔵メモリ８０から表示コンテンツデータが入力されるテキスト／画像判別回路４７を有している。本実施の形態の表示コンテンツデータは、各色毎に３２０×２４０個のデータで構成され、観察者が表示面Ｄを図１に示す縦長表示で観察したときに正常な表示状態となるように順次テキスト／画像判別回路４７に入力するようになっている。
【００４３】
テキスト／画像判別回路４７では、コンテンツ内のテキストデータと画像データを判別して、テキストデータにはテキストデータタグを付加し、画像データには画像データタグを付加してレイアウト構成回路４５に出力するようになっている。
【００４４】
また、制御部４は、レイアウト優先モードか文字サイズ優先モードかを観察者が任意に設定できるモード選択回路４６を有している。モード選択回路４６は、テキストデータと画像データとが１画面内に混在した場合に最適な表示をするために用いられる。例えば、表示面Ｄ内で画像と文字が混在していると、画像のサイズを維持したまま表示面Ｄの表示の向きを変えると、画像が表示面Ｄからはみ出してしまう事態が生じ得る。このような場合の対策を含め、本実施の形態ではモード選択回路４６により観察者が以下の２通りのいずれかを設定できるようにしている。
【００４５】
（１）レイアウト優先モード：
画面全体のレイアウトを維持するモードであり、テキストと画像が混在していてもレイアウトを変えたくない場合に選択するモードである。レイアウトを変えずに全体の縮尺を変えて表示面Ｄの向きに応じて表示させる。レイアウトが変わらないため、電子ペーパー１を持ち替えたことによる表示の違和感等を少なく抑えることができる。
【００４６】
（２）文字サイズ優先モード：
文字のサイズを維持するモードであり、レイアウトを変えても文字のサイズを維持したい場合に選択するモードである。テキスト表示を優先して段組みを再構成し、余白のスペースに縮尺を変えた画像を表示させる。文字のサイズが変わらないため、持ち替えても文章の読みやすさを維持することができる。
以上の２つのモードのいずれかを観察者（使用者）が予め設定しておく。モード選択回路４６で選択されたモード選択信号は、レイアウト構成回路４５に入力されるようになっている。
【００４７】
使用者が入力スイッチ群８３の所定のスイッチを操作してレイアウト優先モードを設定すると、モード選択回路４６は、レイアウト優先モード選択信号をレイアウト構成回路４５に出力する。レイアウト優先モード選択信号が入力されるとレイアウト構成回路４５は、テキスト／画像判別回路４７から入力されたテキストデータ及び画像データをデータ変換回路４１に出力する前に、レイアウトを維持して全体の縮尺を変更するレイアウト維持コマンドをデータ変換回路４１に出力する。
【００４８】
一方、文字サイズ優先モード選択信号が入力されるとレイアウト構成回路４５は、テキスト／画像判別回路４７から入力されたテキストデータ及び画像データをデータ変換回路４１に出力する前に、テキストデータの文字サイズを維持して表示のレイアウトを変更する文字サイズ維持コマンドをデータ変換回路４１に出力する。
【００４９】
このようにレイアウト構成回路４５は、テキストデータタグが付加されたテキストデータと、画像データタグが付加された画像データとをバイナリデータに変換してデータ変換回路４１に出力するに際し、それらに対するレイアウト変更のコマンドをデータ変換回路４１に出力する。
【００５０】
データ変換回路４１内には、座標変換前のＢ、Ｇ、Ｒ用表示データを各１フレーム分格納可能なフレームメモリ４１ａと、座標変換後のＢ、Ｇ、Ｒ用表示データを各１フレーム分格納可能なフレームメモリ４１ｂとが配置されている。
データ変換回路４１は、レイアウト構成回路４５から出力されたテキストデータ及び画像データを順次フレームメモリ４１ａに格納する。また、データ変換回路４１は、フレームメモリ４１ａに全表示データを格納する際に、各データに付加されたテキストデータタグ及び画像データタグの数をそれぞれ計数して不図示の記憶部に記憶しておく。
データ変換回路４１は、フレームメモリ４１ａ内の表示データに対し、表示方向データＤｄやレイアウト変更コマンドに基づいて、表示データのアドレス変換やレイアウト変更のための幾何学的変換（座標変換等）を行ってフレームメモリ４１ｂに格納する。
【００５１】
また、データ変換回路４１は、表示方向データＤｄに基づいて、各行電極駆動回路２３ｂ、２３ｇ、２３ｒと各列電極駆動回路２４ｂ、２４ｇ、２４ｒのいずれを走査電極駆動回路として機能させ、いずれをデータ電極駆動回路として機能させるかを決定する。さらにデータ変換回路４１は、各行電極駆動回路２３ｂ、２３ｇ、２３ｒと各列電極駆動回路２４ｂ、２４ｇ、２４ｒを介して各行電極２１ｂ、２１ｇ、２１ｒと各列電極２２ｂ、２２ｇ、２２ｒに印加する電圧レベルの切替えを行う。
【００５２】
以上の処理を経て、データ変換回路４１は、所定の出力端子から、スキャン／データモード信号Ｓ／Ｄ＿ｍｏｄ、データ取込みクロック信号Ｄ＿ｃｌｋ、パルス極性制御信号ｐ＿ｃｔｌ、フレーム開始信号ｆ＿ｓｔ、データラッチ・スキャンシフト信号Ｄ＿ｌｔ／Ｓ＿ｓｆｔ、ドライバ出力オフ信号Ｄｖ＿ｏｆｆ、表示データ信号Ｄ＿ｓｉｇ、及び走査方向切替信号Ｓｃａｎ＿ｄを行電極駆動回路２３ｂ、２３ｇ、２３ｒ及び／又は列電極駆動回路２４ｂ、２４ｇ、２４ｒに出力する。行電極駆動回路２３ｂ、２３ｇ、２３ｒ及び列電極駆動回路２４ｂ、２４ｇ、２４ｒは、データ変換回路４１から入力した各種信号に基づき表示面Ｄへの描画を開始する。
【００５３】
電源部６は、３〜５Ｖの論理電圧を発生する電源６１と、論理電圧を昇圧させる昇圧部６２と、昇圧された電圧を複数の駆動電圧に切替える電圧切替部６３と、切替えた電圧を安定化させて出力する電圧安定部６４とを有している。
【００５４】
電源６１から出力される３〜５Ｖの論理電圧は、ＤＣ−ＤＣコンバータ等のレギュレータを備えた昇圧部６２で３６〜４０Ｖに昇圧され、電圧切替部６３を介して抵抗分割等により電圧安定部６４で各種電圧出力に形成されて、Ｂ、Ｇ、Ｒ用行電極駆動回路２３ｂ、２３ｇ、２３ｒ及びＢ、Ｇ、Ｒ用列電極駆動回路２４ｂ、２４ｇ、２４ｒの駆動電圧となる。電圧安定部６４での各種電圧出力は、例えば３２、３０、２８、４、２、０Ｖである。
【００５５】
制御部４から出力された表示データ信号Ｄ＿ｓｉｇに基づいて、Ｂ、Ｇ、Ｒ用行電極駆動回路２３ｂ、２３ｇ、２３ｒ及びＢ、Ｇ、Ｒ用列電極駆動回路２４ｂ、２４ｇ、２４ｒは、電圧安定部６４から出力された複数の電圧値のいずれかを選択するようになっている。電源６１は、昇圧部６２の他に制御部４等にも所定の電力を供給するようになっている。
【００５６】
次に、図１に示した本実施の形態による電子ペーパー１による画面表示の具体例について実施例を用いて説明する。
【００５７】
（実施例１）
図２は、本実施の形態による電子ペーパー１を表示面Ｄ側に向かって見た状態を模式的に示している。本実施例及びこれ以降での表示コンテンツデータは、観察者が表示面Ｄを図１に示す縦長表示で観察したときに、ほぼ画面中央全体に配置された右向きの太矢印の画像と、当該矢印上方に配置されて左から右へ「今回開発した電子ペーパー」と書かれたテキストである。
【００５８】
図２（ａ）は、例えば机上に置かれた電子ペーパー１の表示面Ｄを観察者が直立視あるいは座視で観察したときの状態を示している。図２（ａ）に示すように、観察者には、表示面Ｄでの表示が逆さまに見えており、図１に示す状態から１８０°回転して表示面Ｄを観察している。この場合の観察者の観察方向をＢ、Ｇ、Ｒ用表示パネル２０ｂ、２０ｇ、２０ｒの各行電極２１ｂ、２１ｇ、２１ｒのアドレスで示すと、表示面Ｄ上部がＢＡ３２０、ＧＡ３２０、ＲＡ３２０であり、下部がＢＡ００１、ＧＡ００１、ＲＡ００１となる。
【００５９】
ここで、観察者が図２（ａ）の状態の電子ペーパー１の例えば右下角部を掴んで机上から持ち上げて表示面Ｄに対面すると、本実施の形態の電子ペーパー１の表示面Ｄは図２（ｂ）に示すように表示コンテンツが自動的に書換えられて正常に表示される。
【００６０】
この動作を図１乃至図３を用いて詳細に説明する。前提として、図２に示す電子ペーパー１では、感圧ボタン８２（図２では不図示）により押圧位置を検出する押圧位置検出回路４４は用いずに、重力センサ８１の出力信号により重力方向を検出する重力方向検出回路４３からの重力方向検出信号だけを用いている。
【００６１】
重力センサ８１は、表示部２の表示面Ｄ近傍であって、例えば表示面Ｄ中央部裏面側（不図示）に取り付けられている。図３は、重力センサ８１及び重力方向検出回路４３の内部構成の概略を示している。図３（ａ）の重力センサ８１は、表示面Ｄの垂直方向に見た状態を示し、図３（ｂ）は、表示面Ｄに直交する断面で切断した状態を示している。図３に示すように、重力センサ８１は、球状導体９０と、球状導体収容部９１と、配線９２とを有している。重力方向検出回路４３は、スイッチング回路９３と、３ビット・バッファ９４とを有している。
【００６２】
球状導体収容部９１は、図１に示す状態での表示面Ｄの縦長の長方形形状の上下左右辺に対応して４つの球状導体受け部９１ａ、９１ｂ、９１ｃ、９１ｄを有している。図１に示す状態での表示面Ｄの上辺側に球状導体受け部９１ａ、下辺側に球状導体受け部９１ｂ、左辺側に球状導体受け部９１ｃ、右辺側に球状導体受け部９１ｄが配置されている。また、球状導体収容部９１の中央部は、電子ペーパー１の裏面側に凸の球状導体受け部９１ｅとなっている。なお、図３（ａ）では、図２（ａ）の状態に合せて表示しているので、重力センサ８１は、図１に示す状態から１８０°回転した状態で図示されている。
【００６３】
球状導体受け部９１ａ、９１ｂ、９１ｃ、９１ｄには重力方向検出回路４３のスイッチング回路９３に延びる一対の配線９２ａ、９２ｂ、９２ｃ、９２ｄがそれぞれ接続されている。これら配線により、球状導体受け部９１ａ、９１ｂ、９１ｃ、９１ｄにはスイッチング回路９３から所定の電圧が印加されている。重力方向検出回路４３では、スイッチング回路９３から４本の信号線ａ、ｂ、ｃ、ｄが３ビット・バッファ９４に接続されている。３ビット・バッファ９４は、スイッチング回路９３からの４本の信号線ａ、ｂ、ｃ、ｄの出力状態を３ビットのデジタル値として保持しつつ表示方向算出回路４２に出力するようになっている。
【００６４】
球状導体９０が球状導体受け部９１ａに収まっている場合には、４本の信号線ａ、ｂ、ｃ、ｄの出力状態は、順に１、０、０、０となり、球状導体９０が球状導体受け部９１ｂに収まっている場合には、０、１、０、０となり、球状導体９０が球状導体受け部９１ｃに収まっている場合には、０、０、１、０となり、球状導体９０が球状導体受け部９１ｄに収まっている場合には、０、０、０、１となり、球状導体９０が球状導体受け部９１ｅに収まっている場合には、０、０、０、０となる。
【００６５】
この出力を受けて、３ビット・バッファ９４からは例えば、球状導体９０が球状導体受け部９１ａに収まっている場合には、情報「１」を表示方向算出回路４２に出力し、球状導体９０が球状導体受け部９１ｂに収まっている場合には、情報「２」を出力し、球状導体９０が球状導体受け部９１ｃに収まっている場合には、情報「３」を出力し、球状導体９０が球状導体受け部９１ｄに収まっている場合には、情報「４」を出力し、球状導体９０が球状導体受け部９１ｅに収まっている場合には、情報「０」を出力する。
【００６６】
さて、直立してあるいは座して机上の電子ペーパー１を図２（ａ）に示す状態で観察している観察者が、電子ペーパー１を手にとって表示面Ｄを眺めると、重力センサ８１の球状導体９０は、球状導体受け部９１ｅに収まっていた状態から、重力の作用を受けて球状導体受け部９１ａに移動する。これにより、球状導体受け部９１ａの両配線９２ａが導通してスイッチング回路９３の４本の信号線ａ、ｂ、ｃ、ｄの出力状態は、順に１、０、０、０となり、３ビット・バッファ９４からは情報「１」が表示方向算出回路４２に出力される。
【００６７】
表示方向算出回路４２は、重力方向検出回路４３から情報が入力されると、表示部２の表示面Ｄに画像や文字を表示させる方向を決める書換え用の表示方向データＤｄをデータ変換回路４１に出力する。情報が「１」の場合は、表示方向算出回路４２は、表示パネル２０ｂ、２０ｇ、２０ｒの書換え用の表示方向データＤｄとして、ＢＡ３２０、ＧＡ３２０、ＲＡ３２０をデータ変換回路４１に出力する。
同様に、情報「２」の場合の書換え用の表示方向データＤｄは、ＢＡ００１、ＧＡ００１、ＲＡ００１であり、情報「３」の場合の書換え用の表示方向データＤｄは、ＢＢ２４０、ＧＢ２４０、ＲＢ２４０であり、情報「４」の場合の書換え用の表示方向データＤｄは、ＢＢ００１、ＧＢ００１、ＲＢ００１である。
【００６８】
データ変換回路４１は、フレームメモリ４１ａ内に図２（ａ）の表示データを格納しており、また、それに用いた現在の表示方向データＤｄとしてＢＡ００１、ＧＡ００１、ＲＡ００１を不図示の記憶部内に格納している。データ変換回路４は、現在の表示方向データＤｄの値と、書換え用の表示方向データＤｄの値とを比較して、両者が同一であれば書換え不要と判断して書換え処理を行わない。本例では、両者は一致しないので表示書換え処理が実行される。
【００６９】
モード選択回路４６でレイアウト優先モードが設定されていると、データ変換回路４１には、レイアウト構成回路４５からレイアウトを維持して全体の縮尺を変更するレイアウト維持コマンドが入力されている。
【００７０】
データ変換回路４１は、レイアウト維持コマンドを受け取っている場合は、書換え用の表示方向データＤｄの第２セクションの値を調べ、第２セクションの値が「Ａ」であれば、縮尺倍率が現在の表示と等倍であるとしてレイアウト維持動作を実行しない。書換え用の表示方向データＤｄの第２セクションの値が「Ｂ」であれば、データ変換回路４１は、縮尺倍率を２４０／３２０＝３／４としてレイアウト維持動作を実行する。
【００７１】
本例では、書換え用の表示方向データＤｄの第２セクションの値は「Ａ」なので、データ変換回路４１はレイアウト維持動作は実行しない。
【００７２】
データ変換回路４１は、書換え用の表示方向データＤｄの値に基づいて、フレームメモリ４１ａに格納されている表示データｄに対してデータ変換の演算を施し、フレームメモリ４１ｂ内の所定のアドレスに変換後の表示データｄを書込む。
【００７３】
全表示データｄをフレームメモリ４１ｂに格納したら、次いで、データ変換回路４１は、書換え用の表示方向データＤｄの第２セクションの値が「Ａ」なので、行電極駆動回路２３ｂ、２３ｇ、２３ｒを走査電極駆動回路とし、列電極駆動回路２４ｂ、２４ｇ、２４ｒをデータ電極駆動回路として機能させるようにスキャン／データモード信号Ｓ／Ｄ＿ｍｏｄを行電極駆動回路２３ｂ、２３ｇ、２３ｒ及び列電極駆動回路２４ｂ、２４ｇ、２４ｒに出力する。
【００７４】
また、データ変換回路４１は、行電極駆動回路２３ｂ、２３ｇ、２３ｒ及び列電極駆動回路２４ｂ、２４ｇ、２４ｒに対し、データ電極駆動回路の不図示のシフトレジスタに入力される複数の表示データを順次シフトさせて取り込むための取り込みタイミング用のクロック信号であるデータ取込みクロック信号Ｄ＿ｃｌｋの供給を開始する。
【００７５】
さらにデータ変換回路４１は、各行電極駆動回路２３ｂ、２３ｇ、２３ｒと各列電極駆動回路２４ｂ、２４ｇ、２４ｒを介して各行電極２１ｂ、２１ｇ、２１ｒと各列電極２２ｂ、２２ｇ、２２ｒに印加する電圧レベルの切替えを行う。また、データ取込みクロック信号Ｄ＿ｃｌｋに同期して画素選択期間内及び非選択期間内で液晶への印加電圧の極性が正逆切替えられるように、パルス極性制御信号ｐ＿ｃｔｌを出力する。
【００７６】
さらに、データ変換回路４１は、表示パネル２０ｂ、２０ｇ、２０ｒの書換え用の表示方向データＤｄ＝ＢＡ３２０、ＧＡ３２０、ＲＡ３２０に基づいて、表示面Ｄでの描画がアドレスＢＡ３２０、ＧＡ３２０、ＲＡ３２０からそれぞれＢＡ００１、ＧＡ００１、ＲＡ００１へ向かって進むように、行電極駆動回路２３ｂ、２３ｇ、２３ｒに対し、走査線駆動回路として各行電極２１ｂ、２１ｇ、２１ｒを線順次走査する際に、アドレス番号の降順方向（アドレス３２０から００１に向かう方向）に走査することを示す走査方向切替信号Ｓｃａｎ＿ｄを出力する。
【００７７】
次いで、データ変換回路４１は、フレーム開始信号ｆ＿ｓｔを出力すると共に、フレームメモリ４１ｂの先頭アドレスから順に格納された表示データを表示データ信号Ｄ＿ｓｉｇとしてデータ取込みクロック信号Ｄ＿ｃｌｋに同期させて、データ電極駆動回路として機能する列電極駆動回路２４ｂ、２４ｇ、２４ｒに順次出力する。また、データ変換回路４１は、列電極駆動回路２４ｂ、２４ｇ、２４ｒのそれぞれの不図示のシフトレジスタに１走査電極分の複数の表示データが格納されたら当該表示データをラッチすると共に、線順次で走査するために選択される走査電極を次段にシフトするデータラッチ・スキャンシフト信号Ｄ＿ｌｔ／Ｓ＿ｓｆｔを出力する。
【００７８】
線順次走査により１フレーム分の表示データの書換えが終了すると、データ変換回路４１は、ドライバ出力オフ信号Ｄｖ＿ｏｆｆを出力して、行電極駆動回路及び列電極駆動回路から行電極及び列電極に対する電圧印加を停止する。
【００７９】
このようにして、図２（ｂ）に示す表示が実現される。
本実施例の電子ペーパー１は、静止画を表示する表示面Ｄを備えた表示部２と、表示面Ｄに対する観察者の観察方向を検出する検出部（表示方向算出回路４２）を備え、観察方向に合せて表示面Ｄの静止画を書換える制御部４とを有している。これにより、制御部４は、観察方向に合せて静止画の書換え開始位置を決定し、表示面Ｄでの静止画の表示方向を変更する。
【００８０】
従って本実施例の静止画の書換えは、観察者が静止画から情報を読み取る順序に従って情報を表示することができる。本例では、観察者の視線が表示面Ｄの上から下に向かうように表示書換えが実行される。これにより、横書きの文字情報を表示書き書換え途中から確認することができるので、書換え速度が比較的低速でも、観察者はストレスを感じずに書換え処理完了を待つことができる。なお、テキストデータのテキストデータタグに縦書きか横書きかの情報を含ませることにより、縦書きのテキストデータの場合には、観察方向に見て表示面Ｄの右から左に向かって表示書換えをするようにしてもよい。
【００８１】
（実施例２）
図４は、本実施の形態による電子ペーパー１を表示面Ｄ側に向かって見た状態を模式的に示している。図４（ａ）は、例えば机上に置かれた電子ペーパー１の表示面Ｄを観察者が直立視あるいは座視で観察したときの状態を示している。この例では、表示面Ｄを図１の図示に対して反時計回りに９０°回転させた横長方向に見て、本来の正常表示に対して表示面Ｄでの表示も反時計回りに９０°回転した状態が観察されている。Ｂ、Ｇ、Ｒ用表示パネル２０ｂ、２０ｇ、２０ｒの各列電極２２ｂ、２２ｇ、２２ｒのアドレスは、表示面Ｄを図１の状態から反時計回りに９０°回転させた状態なので、図中の最上位がＢＢ２４０、ＧＢ２４０、ＲＢ２４０であり、最下位がＢＢ００１、ＧＢ００１、ＲＢ００１である。
【００８２】
ここで、観察者が図４（ａ）の状態の電子ペーパー１の例えば右下角部を掴んで机上から持ち上げて表示面Ｄに対面すると、本実施の形態の電子ペーパー１の表示面Ｄは図４（ｂ）に示すように表示コンテンツが自動的に縮小されて書換えられて正常に表示される。
【００８３】
この動作を図１及び図３、図４を用いて詳細に説明する。本例も前提として、感圧ボタン８２は用いずに、重力センサ８１を用いた重力方向検出回路４３からの重力方向検出信号だけを表示書換えに用いている。
【００８４】
直立してあるいは座して机上の電子ペーパー１を図４（ａ）に示す状態で観察している観察者が、電子ペーパー１を手にとって表示面Ｄを眺めると、重力センサ８１の球状導体９０は、球状導体受け部９１ｅに収まっていた状態から、重力の作用を受けて球状導体受け部９１ｃに移動する。これにより、球状導体受け部９１ｃの両配線９２ｃが導通してスイッチング回路９３の４本の信号線ａ、ｂ、ｃ、ｄの出力状態は、順に０、０、１、０となり、３ビット・バッファ９４からは情報「３」が表示方向算出回路４２に出力される。
【００８５】
表示方向算出回路４２は、情報「３」を受け取ると、表示パネル２０ｂ、２０ｇ、２０ｒの書換え用の表示方向データとしてＤｄ＝ＢＢ２４０、ＧＢ２４０、ＲＢ２４０をデータ変換回路４１に出力する。
【００８６】
データ変換回路４１は、図４（ａ）に示す表示データの表示方向データＤｄの値と、書換え用の表示方向データＤｄの値とを比較して、両者が同じであれば書換え不要と判断して書換え処理を行わない。
【００８７】
本例では、現在の表示方向データＤｄは、ＢＡ００１、ＧＢＡ００１、ＲＡ００１であり、書換え用の表示方向データＤｄは、現在の表示データＤｄと一致しないので、表示書換え処理が実行される。
【００８８】
モード選択回路４６でレイアウト優先モードが設定されていると、データ変換回路４１には、レイアウト構成回路４５からレイアウトを維持して全体の縮尺を変更するレイアウト維持コマンドが入力されている。
【００８９】
データ変換回路４１は、書換え用の表示方向データＤｄの第２セクションの値が「Ｂ」であるので、縮尺倍率を３／４としてレイアウト維持動作を実行する。
【００９０】
レイアウト維持動作において、データ変換回路４１は、縮尺倍率（＝３／４）に基づき表示データ数を２４０×１８０個に減少させる画像処理を行ってから、書換え用の表示方向データＤｄの値に基づいて、フレームメモリ４１ａに格納された表示データｄの変換後の格納アドレスを演算し、フレームメモリ４１ｂ内の所定のアドレスに表示データｄを書込む。レイアウト維持動作により表示データが減少して、データが存在しないアドレスにはダミーの白又は黒の表示データを書込む。
【００９１】
次いで、データ変換回路４１は、書換え用の表示方向データＤｄの第２セクションの値が「Ｂ」なので、行電極駆動回路２３ｂ、２３ｇ、２３ｒをデータ電極駆動回路とし、列電極駆動回路２４ｂ、２４ｇ、２４ｒを走査電極駆動回路として機能させるようにスキャン／データモード信号Ｓ／Ｄ＿ｍｏｄを行電極駆動回路２３ｂ、２３ｇ、２３ｒ及び列電極駆動回路２４ｂ、２４ｇ、２４ｒに出力する。
【００９２】
また、データ変換回路４１は、行電極駆動回路２３ｂ、２３ｇ、２３ｒ及び列電極駆動回路２４ｂ、２４ｇ、２４ｒに対し、データ電極駆動回路の不図示のシフトレジスタに入力される複数の表示データを順次シフトさせて取り込むための取り込みタイミング用のクロック信号であるデータ取込みクロック信号Ｄ＿ｃｌｋの供給を開始する。
【００９３】
さらにデータ変換回路４１は、各行電極駆動回路２３ｂ、２３ｇ、２３ｒと各列電極駆動回路２４ｂ、２４ｇ、２４ｒを介して各行電極２１ｂ、２１ｇ、２１ｒと各列電極２２ｂ、２２ｇ、２２ｒに印加する電圧レベルの切替えを行う。また、データ取込みクロック信号Ｄ＿ｃｌｋに同期して画素選択期間内及び非選択期間内で液晶への印加電圧の極性が正逆切替えられるように、パルス極性制御信号ｐ＿ｃｔｌを出力する。
【００９４】
さらに、データ変換回路４１は、表示パネル２０ｂ、２０ｇ、２０ｒの書換え用の表示方向データＤｄ＝ＢＢ２４０、ＧＢ２４０、ＲＢ２４０に基づいて、表示面Ｄでの描画がアドレスＢＢ２４０、ＧＢ２４０、ＲＢ２４０からそれぞれＢＢ００１、ＧＢ００１、ＲＢ００１へ向かって進むように、列電極駆動回路２４ｂ、２４ｇ、２４ｒに対し、走査線駆動回路として各列電極２２ｂ、２２ｇ、２２ｒを線順次走査する際に、アドレス番号の降順方向に走査することを示す走査方向切替信号Ｓｃａｎ＿ｄを出力する。
【００９５】
次いで、データ変換回路４１は、フレーム開始信号ｆ＿ｓｔを出力すると共に、フレームメモリ４１ｂの先頭アドレスから順に格納された表示データを表示データ信号Ｄ＿ｓｉｇとしてデータ取込みクロック信号Ｄ＿ｃｌｋに同期させて、データ電極駆動回路として機能する行電極駆動回路２３ｂ、２３ｇ、２３ｒに順次出力する。また、データ変換回路４１は、行電極駆動回路２３ｂ、２３ｇ、２３ｒのそれぞれの不図示のシフトレジスタに１走査電極分の複数の表示データが格納されたら当該表示データをラッチすると共に、線順次で走査するために選択される走査電極を次段にシフトするデータラッチ・スキャンシフト信号Ｄ＿ｌｔ／Ｓ＿ｓｆｔを出力する。
【００９６】
線順次走査により１フレーム分の表示データの書換えが終了すると、データ変換回路４１は、ドライバ出力オフ信号Ｄｖ＿ｏｆｆを出力して、行電極駆動回路及び列電極駆動回路から行電極及び列電極に対する電圧印加を停止する。
【００９７】
このようにして、図４（ｂ）に示す表示が実現される。本実施例においても、実施例１と同様の構成で同様の作用効果を奏することができると共に、観察者の観察方向と９０°異なる表示方向で電子ペーパー１を持っても、持ち替えることなく適切な表示方向の静止画を表示面Ｄに表示させることができる。
【００９８】
また、本例は、レイアウト優先モードでの表示をさせているので、テキストと画像が混在していてもレイアウトを変えずに全体の縮尺を変えて表示面Ｄの向きに応じて表示させることができる。レイアウトが変わらないため、持ち替えたことによる違和感を抑えることができる。
【００９９】
ところで、本実施例による場合、図４に示すようにテキストデータが画像データに比して少ない場合や、画像データに対して文字サイズが比較的大きい場合にはあまり問題ないが、例えば、図５に示す表示のようにテキストデータの占める割合が大きくなってくると、レイアウト優先モードでは、表示面Ｄで表示される文字サイズが小さくなって文字が読みづらくなってしまうという問題が生じ得る。その場合には、次の実施例３に示す文字サイズ優先モードでの表示が好適となる。
（実施例３）
【０１００】
図６は、本実施の形態による電子ペーパー１を表示面Ｄ側に向かって見た状態を模式的に示している。図６（ａ）は、直立してあるいは着座した観察者が、電子ペーパー１を手に持って表示面Ｄを縦長にして観察している状態を示している。この状態の表示面Ｄは図１の図示と同一の縦長方向に見て、本来の正常表示が観察されている。Ｂ、Ｇ、Ｒ用表示パネル２０ｂ、２０ｇ、２０ｒの各行電極２１ｂ、２１ｇ、２１ｒのアドレスは、表示面Ｄの図１の状態と同じで、図中の最上位がＢＡ００１、ＧＡ００１、ＲＡ００１であり、最下位がＢＡ３２０、ＧＡ３２０、ＲＡ３２０である。
【０１０１】
ここで、観察者が電子ペーパー１を時計回りに９０°程度回転させて表示面Ｄを横長にすると、本実施の形態の電子ペーパー１は、図６（ｂ）に示すように文字サイズを変更せずに表示コンテンツのレイアウトが自動的に変更されて正常に表示する。
【０１０２】
この動作を図１及び、図３、図６を用いて詳細に説明する。本例も前提として、感圧ボタン８２は用いずに、重力センサ８１を用いた重力方向検出回路４３からの重力方向検出信号だけを表示書換えに用いている。
【０１０３】
図６（ａ）に示す状態では、電子ペーパー１の重力センサ８１の球状導体９０は、重力の作用を受けて球状導体受け部９１ｂに収まっている。この状態から、電子ペーパー１を表示面Ｄの面内で時計回りに９０°回転させると、球状導体９０は、球状導体受け部９１ｄに移動する。これにより、球状導体受け部９１ｄの両配線９２ｄが導通してスイッチング回路９３の４本の信号線ａ、ｂ、ｃ、ｄの出力状態は、順に０、０、０、１となり、３ビット・バッファ９４からは情報「４」が表示方向算出回路４２に出力される。
【０１０４】
表示方向算出回路４２は、情報「４」を受け取ると、表示パネル２０ｂ、２０ｇ、２０ｒの書換え用の表示方向データとしてＤｄ＝ＢＢ００１、ＧＢ００１、ＲＢ００１をデータ変換回路４１に出力する。
【０１０５】
データ変換回路４１は、図６（ａ）に示す表示データの表示方向データＤｄの値と、書換え用の表示方向データＤｄの値とを比較して、両者が同じであれば書換え不要と判断して書換え処理を行わない。
【０１０６】
本例では、現在の表示方向データＤｄは、ＢＡ００１、ＧＢＡ００１、ＲＡ００１であり、書換え用の表示方向データＤｄは、現在の表示データＤｄと一致しないので、表示書換え処理が実行される。
【０１０７】
モード選択回路４６で文字サイズ優先モードが設定されていると、データ変換回路４１には、テキストデータの文字サイズを維持して表示のテキストデータの文字サイズを変更する文字サイズ維持コマンドが入力されている。
【０１０８】
データ変換回路４１は、不図示の記憶部に予め格納してあるテキストデータタグと画像データタグの計数値を参照して、テキストデータの表示領域と画像データの表示領域の大きさを把握し、横長の表示面Ｄ内で文字サイズを変更せずに表示できるように画像データの表示領域の大きさと位置を決定する。
【０１０９】
次いで、書換え用の表示方向データＤｄの値に基づいて、フレームメモリ４１ａに格納されている表示データｄの変換後の格納アドレスを演算して、フレームメモリ４１ｂ内の所定のアドレスに表示データｄを書込む。
【０１１０】
次いで、データ変換回路４１は、書換え用の表示方向データＤｄの第２セクションの値が「Ｂ」なので、行電極駆動回路２３ｂ、２３ｇ、２３ｒをデータ電極駆動回路とし、列電極駆動回路２４ｂ、２４ｇ、２４ｒを走査電極駆動回路として機能させるようにスキャン／データモード信号Ｓ／Ｄ＿ｍｏｄを行電極駆動回路２３ｂ、２３ｇ、２３ｒ及び列電極駆動回路２４ｂ、２４ｇ、２４ｒに出力する。
【０１１１】
また、データ変換回路４１は、行電極駆動回路２３ｂ、２３ｇ、２３ｒ及び列電極駆動回路２４ｂ、２４ｇ、２４ｒに対し、データ電極駆動回路の不図示のシフトレジスタに入力される複数の表示データを順次シフトさせて取り込むための取り込みタイミング用のクロック信号であるデータ取込みクロック信号Ｄ＿ｃｌｋの供給を開始する。
【０１１２】
さらにデータ変換回路４１は、各行電極駆動回路２３ｂ、２３ｇ、２３ｒと各列電極駆動回路２４ｂ、２４ｇ、２４ｒを介して各行電極２１ｂ、２１ｇ、２１ｒと各列電極２２ｂ、２２ｇ、２２ｒに印加する電圧レベルの切替えを行う。また、データ取込みクロック信号Ｄ＿ｃｌｋに同期して画素選択期間内及び非選択期間内で液晶への印加電圧の極性が正逆切替えられるように、パルス極性制御信号ｐ＿ｃｔｌを出力する。
【０１１３】
さらに、データ変換回路４１は、表示パネル２０ｂ、２０ｇ、２０ｒの書換え用の表示方向データＤｄ＝ＢＢ００１、ＧＢ００１、ＲＢ００１に基づいて、表示面Ｄでの描画がアドレスＢＢ００１、ＧＢ００１、ＲＢ００１からそれぞれＢＢ２４０、ＧＢ２４０、ＲＢ２４０へ向かって進むように、列電極駆動回路２４ｂ、２４ｇ、２４ｒに対し、走査線駆動回路として各列電極２２ｂ、２２ｇ、２２ｒを線順次走査する際に、アドレス番号の昇順方向に走査することを示す走査方向切替信号Ｓｃａｎ＿ｄを出力する。
【０１１４】
次いで、データ変換回路４１は、フレーム開始信号ｆ＿ｓｔを出力すると共に、フレームメモリ４１ｂの先頭アドレスから順に格納された表示データを表示データ信号Ｄ＿ｓｉｇとしてデータ取込みクロック信号Ｄ＿ｃｌｋに同期させて、データ電極駆動回路として機能する行電極駆動回路２３ｂ、２３ｇ、２３ｒに順次出力する。また、データ変換回路４１は、行電極駆動回路２３ｂ、２３ｇ、２３ｒのそれぞれの不図示のシフトレジスタに１走査電極分の複数の表示データが格納されたら当該表示データをラッチすると共に、線順次で走査するために選択される走査電極を次段にシフトするデータラッチ・スキャンシフト信号Ｄ＿ｌｔ／Ｓ＿ｓｆｔを出力する。
【０１１５】
線順次走査により１フレーム分の表示データの書換えが終了すると、データ変換回路４１は、ドライバ出力オフ信号Ｄｖ＿ｏｆｆを出力して、行電極駆動回路及び列電極駆動回路から行電極及び列電極に対する電圧印加を停止する。
【０１１６】
このようにして、図６（ｂ）に示す表示が実現される。本実施例においても、実施例１と同様の構成で同様の作用効果を奏することができると共に、観察者の観察方向と９０°異なる表示方向に電子ペーパー１を回転させて持っても適切な表示方向の静止画を表示面Ｄに表示させることができる。
【０１１７】
また、本例は、文字サイズ優先モードでの表示をさせているので、文字のサイズを維持してテキスト表示を優先し、余白のスペースに縮尺を変えた画像を表示させている。文字のサイズが変わらないため、持ち替えても文章の読みやすさを維持することができる。
【０１１８】
図７は、実施例３の変形例を示す。図７（ａ）は、テキストデータだけが表示される場合であって、表示面Ｄを縦長に見た状態を示している。この縦長表示において、テキストは横書きで１行当り所定の文字数で１段で所定行数で必要な文字情報を表示している。これをテキストの文字数・行数をそのままにして横長に向けた電子ペーパーに対応した場合、文字のフォントサイズを小さくすることになるので、読みづらくなる。これに対し本変形例では、表示面Ｄが横長になると、テキストの段組みを再構築して、文字サイズは変えずに１行当り所定の文字数で２段で所定行数で必要な文字情報を表示することができる。こうすることにより、フォントサイズを維持して文章を表示できるので読み易さを向上できる。
【０１１９】
表示書換え処理において、データ変換回路４１は、文字サイズ維持コマンドを受け取ると、テキストデータに付加されたテキストデータタグと画像データに付加された画像データタグの数の計数値から画像データタグの数が零（０）であると判断すると、横長の表示面Ｄ内で文字サイズを変更せずに２段組で表示できるように画像データの表示領域の大きさと位置を決定する。このように、文字サイズ優先モードを用いることにより、レイアウトを変えても文字のサイズを維持したい場合は、テキスト表示を優先して段組みを再構成した表示が可能となる。文字のサイズが変わらないため、持ち替えても文章の読みやすさを維持することができる。
【０１２０】
（実施例４）
図８は、本実施の形態による電子ペーパー１を表示面Ｄ側に向かって見た状態を模式的に示している。表示面Ｄに正常に表示される表示コンテンツは、実施例１の図２に示すものと同一である。
本実施例は、前提として、図２に示す実施例１と異なり、重力センサ８１を用いた重力方向検出回路４３からの重力方向検出信号は用いずに、感圧ボタン８２により押圧位置を検出する押圧位置検出回路４４だけを用いている。感圧ボタン８２は、表示面Ｄを図８の状態で見て、表示面Ｄ周囲の長方形枠部Ｆの各辺毎に１つずつ設けられている。
【０１２１】
図８（ａ）は、例えば机上に置かれた電子ペーパー１の表示面Ｄを観察者が直立視あるいは座視で観察したときの状態を示している。この例では、表示面Ｄを図１と同一の縦長方向に見て、本来の正常表示に対して表示が逆さまに見えている。Ｂ、Ｇ、Ｒ用表示パネル２０ｂ、２０ｇ、２０ｒの各行電極２１ｂ、２１ｇ、２１ｒのアドレスは、表示面Ｄを図１に対し逆さまの状態で見ているので、図中の最上位がＢＡ３２０、ＧＡ３２０、ＲＡ３２０であり、最下位がＢＡ００１、ＧＡ００１、ＲＡ００１である。
【０１２２】
この図８（ａ）に示す状態で、４個の感圧ボタン８２は、長方形枠部Ｆの上辺中央に感圧ボタン８２ｂ、下辺中央に感圧ボタン８２ａ、左辺中央に感圧ボタン８２ｄ、右辺中央に感圧ボタン８２ｃが配置されている。
押圧位置検出回路４４は、感圧ボタン８２ａが押圧されると情報「１」を表示方向算出回路４２に出力し、感圧ボタン８２ｂが押圧されると情報「２」を出力し、感圧ボタン８２ｃが押圧されると情報「３」を出力し、感圧ボタン８２ｄが押圧されると情報「４」を出力する。
【０１２３】
ここで、観察者が図８（ａ）の状態で電子ペーパー１の感圧ボタン８２ａを押圧（図８（ｂ）において、破線の円及び「ＰＵＳＨ」の文字で示す）すると、本実施の形態の電子ペーパー１の表示面Ｄは図８（ｂ）に示すように表示コンテンツが自動的に書換えられて正常に表示される。
【０１２４】
この動作を図１及び図８を用いて説明する。観察者が、電子ペーパー１の感圧ボタン８２ａを押圧すると、押圧位置検出回路４４からは情報「１」が表示方向算出回路４２に出力される。
【０１２５】
表示方向算出回路４２は、重力方向検出回路４３から情報が入力されると、表示部２の表示面Ｄに画像や文字を表示させる方向を決める書換え用の表示方向データＤｄをデータ変換回路４１に出力する。情報が「１」の場合には、表示パネル２０ｂ、２０ｇ、２０ｒの書換え用の表示方向データＤｄとして、ＢＡ３２０、ＧＡ３２０、ＲＡ３２０をデータ変換回路４１に出力する。
なお、情報「２」の場合の書換え用の表示方向データＤｄは、ＢＡ００１、ＧＡ００１、ＲＡ００１であり、情報「３」の場合の書換え用の表示方向データＤｄは、ＢＢ２４０、ＧＢ２４０、ＲＢ２４０であり、情報「４」の場合の書換え用の表示方向データＤｄは、ＢＢ００１、ＧＢ００１、ＲＢ００１である。
【０１２６】
以下の動作は、実施例１と全く同様なので説明は省略する。このようにして、図８（ｂ）に示す表示が実現される。本実施例においても、実施例１と同様の構成で同様の作用効果を奏することができる
【０１２７】
（実施例５）
図９は、本実施の形態による電子ペーパー１を表示面Ｄ側に向かって見た状態を模式的に示している。表示面Ｄに正常に表示される表示コンテンツは、実施例２の図４に示すものと同一である。
【０１２８】
本実施例は、前提として、図４に示す実施例２と異なり、重力センサ８１を用いた重力方向検出回路４３からの重力方向検出信号は用いずに、図８に示す実施例４と同一に配置された感圧ボタン８２により押圧位置を検出する押圧位置検出回路４４だけを用いている。
【０１２９】
図９（ａ）は、例えば机上に置かれた電子ペーパー１の表示面Ｄを観察者が直立視あるいは座視で観察したときの状態を示している。この例では、表示面Ｄを図１の図示に対して反時計回りに９０°回転させた横長方向に見て、本来の正常表示に対して表示面Ｄでの表示も反時計回りに９０°回転した状態が観察されている。Ｂ、Ｇ、Ｒ用表示パネル２０ｂ、２０ｇ、２０ｒの各列電極２２ｂ、２２ｇ、２２ｒのアドレスは、表示面Ｄを図１の状態から反時計回りに９０°回転させた状態なので、図中の最上位がＢＢ２４０、ＧＢ２４０、ＲＢ２４０であり、最下位がＢＢ００１、ＧＢ００１、ＲＢ００１である。
【０１３０】
ここで、観察者が図９（ａ）の状態で電子ペーパー１の感圧ボタン８２ｃを押圧すると、本実施の形態の電子ペーパー１の表示面Ｄは図９（ｂ）に示すように表示コンテンツが自動的に縮小されて書換えられて正常に表示される。
【０１３１】
この動作を図１及び図９を用いて説明する。観察者が、電子ペーパー１の感圧ボタン８２ｃを押圧すると、押圧位置検出回路４４からは情報「３」が表示方向算出回路４２に出力される。
【０１３２】
表示方向算出回路４２は、情報「３」を受け取ると、表示パネル２０ｂ、２０ｇ、２０ｒの書換え用の表示方向データとしてＤｄ＝ＢＢ２４０、ＧＢ２４０、ＲＢ２４０をデータ変換回路４１に出力する。
【０１３３】
以下の動作は、実施例２と全く同様なので説明は省略する。このようにして、図９（ｂ）に示す表示が実現される。本実施例においても、実施例２と同様の構成で同様の作用効果を奏することができる。
【０１３４】
（実施例６）
図１０は、本実施の形態による電子ペーパー１を表示面Ｄ側に向かって見た状態を模式的に示している。表示面Ｄに正常に表示される表示コンテンツは、実施例１の図２及び実施例４の図８に示すものと同一である。
【０１３５】
本実施例は、前提として、図２に示す実施例１あるいは図８に示す実施例４と異なり、重力センサ８１を用いた重力方向検出回路４３からの重力方向検出信号と、感圧ボタン８２により押圧位置を検出する押圧位置検出回路４４とを組合わせて用いている。感圧ボタン８２は、表示面Ｄを図１０の状態で見て、表示面Ｄ周囲の長方形枠部Ｆの各角部を含んでＬ字状に４つ設けられている。
【０１３６】
図１０（ａ）は、例えば机上に置かれた電子ペーパー１の表示面Ｄを観察者が直立視あるいは座視で観察したときの状態を示している。この例では、表示面Ｄを図１と同一の縦長方向に見て、本来の正常表示に対して表示が逆さまに見えている。Ｂ、Ｇ、Ｒ用表示パネル２０ｂ、２０ｇ、２０ｒの各行電極２１ｂ、２１ｇ、２１ｒのアドレスは、表示面Ｄを図１に対し逆さまの状態で見ているので、図中の最上位がＢＡ３２０、ＧＡ３２０、ＲＡ３２０であり、最下位がＢＡ００１、ＧＡ００１、ＲＡ００１である。
【０１３７】
この状態で、４個の感圧ボタン８２は、長方形枠部Ｆの右下角部から下辺及び右辺の各中央部近傍まで延びるＬ字状の感圧ボタン８２ｗ、長方形枠部Ｆの右上角部から右辺及び上辺の各中央部近傍まで延びるＬ字状の感圧ボタン８２ｘ、長方形枠部Ｆの左上角部から上辺及び左辺の各中央部近傍まで延びるＬ字状の感圧ボタン８２ｙ、長方形枠部Ｆの左下角部から左辺及び下辺の各中央部近傍まで延びるＬ字状の感圧ボタン８２ｚが配置されている。隣接する感圧ボタン８２はそれぞれ分離して配置されている。
【０１３８】
押圧位置検出回路４４は、感圧ボタン８２ｗが押圧されると情報「１」を表示方向算出回路４２に出力し、感圧ボタン８２ｘが押圧されると情報「２」を出力し、感圧ボタン８２ｙが押圧されると情報「３」を出力し、感圧ボタン８２ｚが押圧されると情報「４」を出力する。
【０１３９】
ここで、観察者が図１０（ａ）の状態から、電子ペーパー１の右下部を手にとって感圧ボタン８２ｗを押圧（図１０（ｂ）において、破線の円及び「ＰＵＳＨ」の文字で示す）しつつ表示面Ｄに対面すると、本実施の形態の電子ペーパー１の表示面Ｄは図１０（ｂ）に示すように表示コンテンツが自動的に書換えられて正常に表示される。
【０１４０】
この動作を図１及び図１０を用いて説明する。観察者が、電子ペーパー１の右下部を手にとって感圧ボタン８２ｗを押圧しつつ表示面Ｄに対面すると、押圧位置検出回路４４からは情報「１」が表示方向算出回路４２に出力される。
【０１４１】
また、図２に示す実施例１と同様にして、重力センサ８１の球状導体９０は、球状導体受け部９１ｅに収まっていた状態から、重力の作用を受けて球状導体受け部９１ａに移動する。これにより、球状導体受け部９１ａの両配線９２ａが導通してスイッチング回路９３の４本の信号線ａ、ｂ、ｃ、ｄの出力状態は、順に１、０、０、０となり、３ビット・バッファ９４からは情報「２」が表示方向算出回路４２に出力される。
【０１４２】
表示方向算出回路４２は、例えば、重力方向検出回路４３からの情報と押圧位置検出回路４４からの情報とに関するルックアップテーブル（ＬＵＴ）を備えている。例えば、｛重力方向検出回路４３からの情報，押圧位置検出回路４４からの情報｝とすると、
｛１，１｝：Ｄｄ（ＢＡ３２０，ＧＡ３２０，ＲＡ３２０）
｛１，２｝：不定
｛１，３｝：不定
｛１，４｝：Ｄｄ（ＢＡ３２０，ＧＡ３２０，ＲＡ３２０）
｛２，１｝：不定
｛２，２｝：Ｄｄ（ＢＡ００１，ＧＡ００１，ＲＡ００１）
｛２，３｝：Ｄｄ（ＢＡ００１，ＧＡ００１，ＲＡ００１）
｛２，４｝：不定
｛３，１｝：Ｄｄ（ＢＢ２４０，ＧＢ２４０，ＲＢ２４０）
｛３，２｝：Ｄｄ（ＢＢ２４０，ＧＢ２４０，ＲＢ２４０）
｛３，３｝：不定
｛３，４｝：不定
｛４，１｝：不定
｛４，２｝：不定
｛４，３｝：Ｄｄ（ＢＢ００１，ＧＢ００１，ＲＢ００１）
｛４，４｝：Ｄｄ（ＢＢ００１，ＧＢ００１，ＲＢ００１）
｛０，１｝：不定
｛０，２｝：不定
｛０，３｝：不定
｛０，４｝：不定
のようになっている。
【０１４３】
このようなＬＵＴに基づき、表示方向算出回路４２は、表示部２の表示面Ｄに画像や文字を表示させる方向を決める書換え用の表示方向データＤｄをデータ変換回路４１に出力する。なお、「不定」の場合には、表示方向算出回路４２は、書換え用の表示方向データＤｄをデータ変換回路４１に出力しない。
【０１４４】
本例では、情報が｛１，１｝であるから、表示方向算出回路４２は、表示パネル２０ｂ、２０ｇ、２０ｒの書換え用の表示方向データＤｄとして、ＢＡ３２０、ＧＡ３２０、ＲＡ３２０をデータ変換回路４１に出力する。
【０１４５】
以下の動作は、実施例１と全く同様なので説明は省略する。このようにして、図１０（ｂ）に示す表示が実現される。本実施例においても、実施例１と同様の作用効果を奏することができる。
また、重力方向のみで表示方向の検出をすると、電子ペーパー１が表示面Ｄ内で回転する場合には表示方向が目まぐるしく変更されてしまう不具合が生じ得るが、本例によれば、重力の検出に加えて感圧ボタンの検出を組合わせて、重力方向と押された感圧ボタンの位置とが所定関係の場合にのみ、表示の向きを変える処理が実行されるので、表示方向が頻繁に変更されてしまう不具合を低減できる。
【０１４６】
（実施例７）
図１１は、本実施の形態による電子ペーパー１を表示面Ｄ側に向かって見た状態を模式的に示している。表示面Ｄに正常に表示される表示コンテンツは、実施例２の図４及び実施例５の図９に示すものと同一である。
【０１４７】
本実施例も前提として、実施例６と同様に、重力センサ８１を用いた重力方向検出回路４３からの重力方向検出信号と、感圧ボタン８２により押圧位置を検出する押圧位置検出回路４４とを組合わせて用いている。感圧ボタンは実施例６と同様である。
【０１４８】
図１１（ａ）は、例えば机上に置かれた電子ペーパー１の表示面Ｄを観察者が直立視あるいは座視で観察したときの状態を示している。この例では、表示面Ｄを図１の図示に対して反時計回りに９０°回転させた横長方向に見て、本来の正常表示に対して表示面Ｄでの表示も反時計回りに９０°回転した状態が観察されている。Ｂ、Ｇ、Ｒ用表示パネル２０ｂ、２０ｇ、２０ｒの各列電極２２ｂ、２２ｇ、２２ｒのアドレスは、表示面Ｄを図１の状態から反時計回りに９０°回転させた状態なので、図中の最上位がＢＢ２４０、ＧＢ２４０、ＲＢ２４０であり、最下位がＢＢ００１、ＧＢ００１、ＲＢ００１である。
【０１４９】
ここで、観察者が図１１（ａ）の状態から、電子ペーパー１の右下部を手にとって感圧ボタン８２ｘを押圧しつつ表示面Ｄに対面すると、本実施の形態の電子ペーパー１の表示面Ｄは図１１（ｂ）に示すように表示コンテンツが自動的に縮小されて書換えられて正常に表示される。
【０１５０】
この動作を図１及び図１１を用いて説明する。観察者が、電子ペーパー１の右下部を手にとって感圧ボタン８２ｘを押圧しつつ表示面Ｄに対面すると、押圧位置検出回路４４からは情報「２」が表示方向算出回路４２に出力される。
【０１５１】
また、図２に示す実施例１と同様にして、重力センサ８１の球状導体９０は、球状導体受け部９１ｅに収まっていた状態から、重力の作用を受けて球状導体受け部９１ｃに移動する。これにより、球状導体受け部９１ｃの両配線９２ｃが導通してスイッチング回路９３の４本の信号線ａ、ｂ、ｃ、ｄの出力状態は、順に０、０、１、０となり、３ビット・バッファ９４からは情報「３」が表示方向算出回路４２に出力される。
【０１５２】
実施例６のＬＵＴに基づき、表示方向算出回路４２は、情報が｛３，２｝であるから、表示パネル２０ｂ、２０ｇ、２０ｒの書換え用の表示方向データとしてＤｄ＝ＢＢ２４０、ＧＢ２４０、ＲＢ２４０をデータ変換回路４１に出力する。
【０１５３】
以下の動作は、実施例２及び５と全く同様なので説明は省略する。このようにして、図１１（ｂ）に示す表示が実現される。本実施例においても、実施例２と同様の構成で同様の作用効果を奏することができる。
【０１５４】
なお、本実施の形態における電子ペーパー１では、制御部４は、重力方向に対する向きを、重力方向に対して最も角度の小さい向きとして表示面Ｄでの書換え方向を変更する。表示面Ｄが縦長及び横長の中間の図１２に示すような斜め状態にある場合であっても、当該斜め状態を把握して図１２中に示すような表示面Ｄ内の表示を斜めにする処理は行わない。電子ペーパーでは意図的に斜めに持って表示面Ｄを観察する機会は少ないので、斜め方向の表示処理に伴う回路やソフトウエアのコスト高を抑えるのが重要である。
また、図１２は、縦長表示か横長表示に切替える基準例を示している。この例では重力方向に対して約４５°の角度を基準にしている。制御部４は、重力方向から約４５°の角度を基準にして表示面Ｄでの書換え方向を変更する。長辺又は短辺が当該基準角度より重力方向に近い角度か否かで、縦長表示か横長表示への切替えるようにする。なお、当該基準角度は４５°に限ったことではなく用途等に応じて変更することができる。
【０１５５】
図１３は、本実施の形態による電子ペーパー１へ表示データを送信する外部システム８０の一例を示している。図１３では外部システムとしてデータ送信端末８０を用いている。データ送信端末８０から電子ペーパー１へのデータ送信は有線又は無線の送信手段が用いられる。例えば有線ＬＡＮや無線ＬＡＮ、Ｂｌｕｅｔｏｏｔｈなど種々の送信プロトコルが考えられる。
テキストデータと画像データを区別できるフォーマットとして、プリンタ等で利用される最も汎用的なＰＳ（ポストスクリプト）フォーマットを用いることができる。なお、ＰＳフォーマットに限らず独自フォーマットを用いてももちろんよい。
以上のような本実施の形態の構成により、特に概ねＡ４判以上の大型サイズの表示になると、手で持ち替える煩わしさなしに表示内容を適切な向きに補正することが可能となる。本実施の形態の応用例として、会議における配布資料、あるいは電子新聞や電子広告など、様々な用途での応用が実現可能である。
【０１５６】
次に、本実施の形態による電子ペーパー１と特許文献１との相違点について説明する。特許文献１の技術は、常時、重力の方向に対して画面表示の向きを一定にする。そのため、ディスプレイを重力方向に対して斜めに持ったときは、画面表示の向きはディスプレイに対して斜めになるため、ディスプレイの全画素を有効に使用できない（特許文献１の図５参照）。
【０１５７】
それに対して本実施の形態による電子ペーパー１は、重力の検出方向に対して画面の向きを常に一定にするのではなく斜め表示は行わず、重力を検出した方向に対して最も効率のよい読みやすい方向に表示画面の向きを±９０°、あるいは１８０°補正する。そのため、常に表示面Ｄの全画素が利用できる。
【０１５８】
また、特許文献１は、高速に画面が切替わる動画ディスプレイを想定しているため、重力の検出方向が変わってもスキャン方向まで変えることは想定していない。それに対して本実施の形態では、低速に画面を切替える電子ペーパーを想定しており、重力の検出方向に伴い走査方向も変更するようにしている。走査方向の切替えがないと、電子ペーパーを持った方向によっては画面が下から上に走査されることがあり、使用者が違和感を覚えることがあるが、本実施の形態によればその問題も回避できる。
【０１５９】
また、特許文献２には表示部が振動により見辛くなる点を補正することだけが開示されているのであって本実施の形態とは根本的に異なる。
本実施の形態では、特許文献１又は２のような動画表示での補正方法とは異なり、電子ペーパーのような静止画表示における特有の特徴を活かし、表示の方向を適切に切替える手段を提供できる。
【０１６０】
本発明により、例えばシート状の電子ペーパーを視点とは逆向きの表示方向で持ったとしても、瞬時に視点方向に表示の向きを補正するため、電子ペーパーの利便性を向上できる。
【０１６１】
本発明は、上記実施の形態に限らず種々の変形が可能である。
例えば、上記実施の形態では、コレステリック液晶を封止した液晶表示装置を積層した電子ペーパー１を用いて説明したが、本発明はこれに限られず、電子ペーパーの表示方式として、電気泳動方式やツイストボール方式など多種多様な方式に適用することが可能である。
【０１６２】
また、上記実施の形態では、観察者の手の位置の検出センサとして感圧ボタン８２を用いているが、本発明はこれに限られない。感圧ボタン８２の代わりに、表示面Ｄ周囲の長方形枠部Ｆに温度分布を検出する手段として、手の温度を検出する温度センサを設けるようにしてももちろんよい。また、表示面Ｄ周囲の長方形枠部Ｆの周辺光の照射分布を検出する手段として、手の陰を検出する光センサを設けるようにしてもよい。
【０１６３】
また、上記実施の形態での重力方向検出回路４３や押圧位置検出回路４４と共にあるいはそれに代えて、所定時間が経過すると経過時間を示す信号を表示方向算出回路４２に出力するタイマー検出回路（不図示）等を設けてもよい。例えば、重力の向きが変わったことを検出してから所定の時間（例えば５秒）経ったら、その重力の向きに合わせて表示方向を変更した表示書換えを行うようにしてもよい。
【０１６４】
また、上記実施の形態による重力センサ８１は一例であり、例えば球状の導電体の他には、球体が窪みにある圧電素子を押すことにより重力の方向を検出するなど、様々な代替手段を用いることが可能である。
【０１６５】
また例えば、上記実施の形態では、表示面Ｄは長方形形状を有しているが、本発明はこれに限られず、正方形、楕円、円形、あるいは多角形形状であってももちろんよい。
【０１６６】
以上説明した本実施の形態による電子ペーパーは、以下のようにまとめられる。
（付記１）
静止画を表示する表示面を備えた表示部と、
前記表示面に対する観察者の観察方向を検出する検出部を備え、前記観察方向に合せて前記表示面の静止画を書換える制御部と
を有することを特徴とする電子ペーパー。
（付記２）
付記１記載の電子ペーパーであって、
前記制御部は、
前記観察方向に合せて前記静止画の書換え開始位置を決定し、前記表示面での書換え方向を変更すること
を特徴とする電子ペーパー。
（付記３）
付記２記載の電子ペーパーであって、
前記検出部は、
前記観察者の観察方向を前記表示面の重力方向に対する向きとして検出するための重力センサを前記表示面近傍に備えていること
を特徴とする電子ペーパー。
（付記４）
付記３記載の電子ペーパーであって、
前記制御部は、
前記重力方向に対する向きを、前記重力方向に対して最も角度の小さい向きとして前記表示面での書換え方向を変更すること
を特徴とする電子ペーパー。
（付記５）
付記４記載の電子ペーパーであって、
前記制御部は、
前記重力方向から約４５°の角度を基準にして前記表示面での書換え方向を変更すること
を特徴とする電子ペーパー。
（付記６）
付記２乃至５のいずれか１項に記載の電子ペーパーであって、
前記検出部は、
前記観察者の観察方向を前記表示面周囲を触れた前記観察者の手の位置に基づいて検出するための検出センサを備えていること
を特徴とする電子ペーパー。
（付記７）
付記１乃至６記載の電子ペーパーであって、
前記表示面は、
長方形形状であること
を特徴とする電子ペーパー。
（付記８）
付記７記載の電子ペーパーであって，
書換え方向の変化に伴い表示データのサイズやレイアウトを変更させる手段を有すること
を特徴とする電子ペーパー。
（付記９）
付記１乃至８のいずれか１項に記載の電子ペーパーであって、
前記表示部は、一対の基板間にコレステリック液晶を封止した表示パネルを有すること
を特徴とする電子ペーパー。
【図面の簡単な説明】
【０１６７】
【図１】本発明の一実施の形態による電子ペーパー１の概略構成を示す図である。
【図２】本発明の一実施の形態による実施例１に係る電子ペーパー１を表示面Ｄ側に向かって見た状態を模式的に示す図である。
【図３】本発明の一実施の形態による重力センサ８１及び重力方向検出回路４３の内部構成の概略を示す図である。
【図４】本発明の一実施の形態による実施例２に係る電子ペーパー１を表示面Ｄ側に向かって見た状態を模式的に示す図である。
【図５】本発明の一実施の形態による実施例２による表示での課題を説明する図である。
【図６】本発明の一実施の形態による実施例３に係る電子ペーパー１を表示面Ｄ側に向かって見た状態を模式的に示す図である。
【図７】本発明の一実施の形態による実施例３の変形例に係る電子ペーパー１を表示面Ｄ側に向かって見た状態を模式的に示す図である。
【図８】本発明の一実施の形態による実施例４に係る電子ペーパー１を表示面Ｄ側に向かって見た状態を模式的に示す図である。
【図９】本発明の一実施の形態による実施例５に係る電子ペーパー１を表示面Ｄ側に向かって見た状態を模式的に示す図である。
【図１０】本発明の一実施の形態による実施例６に係る電子ペーパー１を表示面Ｄ側に向かって見た状態を模式的に示す図である。
【図１１】本発明の一実施の形態による実施例７に係る電子ペーパー１を表示面Ｄ側に向かって見た状態を模式的に示す図である。
【図１２】本発明の一実施の形態による電子ペーパー１の表示面Ｄが縦長及び横長の中間の斜め状態で表示面Ｄ内の表示を斜めにする処理をしないことを説明する図である。
【図１３】本発明の一実施の形態による電子ペーパー１へ表示データを送信する外部システム８０の一例を示す図である。
【符号の説明】
【０１６８】
１  電子ペーパー
２  表示部
４  制御部
６  電源部
２０ｂ、２０ｇ、２０ｒ  表示パネル
２１ｂ、２１ｇ、２１ｒ  行電極
２２ｂ、２２ｇ、２２ｒ  列電極
２３ｂ、２３ｇ、２３ｒ  行電極駆動回路
２４ｂ、２４ｇ、２４ｒ  列電極駆動回路
４１  データ変換回路
４１ａ  フレームメモリ
４２  表示方向算出回路
４３  重力方向検出回路
４４  押圧位置検出回路
４５  レイアウト構成回路
４６  モード選択回路
４７  テキスト／画像判別回路
６１  電源
６２  昇圧部
６３  電圧切替部
６４  電圧安定部
８０  外部システムや内蔵メモリ
８１  重力センサ
８２、８２ａ、８２ｂ、８２ｃ、８２ｄ、８２ｗ、８２ｘ、８２ｙ、８２ｚ  感圧ボタン
８３  入力スイッチ
９０  球状導体
９１  球状導体収容部
９１ａ、９１ｂ、９１ｃ、９１ｄ、９１ｅ  球状導体受け部
９２ａ、９２ｂ、９２ｃ、９２ｄ  配線
９３  スイッチング回路
９４  ３ビット・バッファ
ＢＡ００１〜ＢＡ３２０  Ｂ用行電極駆動回路２３ｂの信号出力端子アドレス
ＧＡ００１〜ＧＡ３２０  Ｇ用行電極駆動回路２３ｂの信号出力端子アドレス
ＲＡ００１〜ＲＡ３２０  Ｒ用行電極駆動回路２３ｂの信号出力端子アドレス
ＢＢ００１〜ＢＢ２４０  Ｂ用列電極駆動回路２４ｂの信号出力端子アドレス
ＧＢ００１〜ＧＢ２４０  Ｇ用列電極駆動回路２４ｂの信号出力端子アドレス
ＲＢ００１〜ＲＢ２４０  Ｒ用列電極駆動回路２４ｂの信号出力端子アドレス
Ｄ  表示面
Ｆ  長方形枠部
Ｓ／Ｄ＿ｍｏｄ  スキャン／データモード信号
Ｄ＿ｃｌｋ  データ取込みクロック信号
ｐ＿ｃｔｌ  パルス極性制御信号
ｆ＿ｓｔ  フレーム開始信号
Ｄ＿ｌｔ／Ｓ＿ｓｆｔ  データラッチ・スキャンシフト信号
Ｄｖ＿ｏｆｆ  ドライバ出力オフ信号
Ｄ＿ｓｉｇ  表示データ信号
Ｓｃａｎ＿ｄ  走査方向切替信号
ｐｂ、ｐｇ、ｐｒ  サブ画素（ピクセル）
【図１】
2008209711.tif 000003
【図２】
2008209711.tif 000004
【図３】
2008209711.tif 000005
【図４】
2008209711.tif 000006
【図５】
2008209711.tif 000007
【図６】
2008209711.tif 000008
【図７】
2008209711.tif 000009
【図８】
2008209711.tif 000010
【図９】
2008209711.tif 000011
【図１０】
2008209711.tif 000012
【図１１】
2008209711.tif 000013
【図１２】
2008209711.tif 000014
【図１３】
2008209711.tif 000015